(57)【要約】【課題】動画像データを再生可能な端末装置を複数集合させて１つのコンテンツを再生する際に、それを実現する設定を自動的に且つ瞬時に行うことが可能な再生装置を提供する。【解決手段】放送データを受信可能な携帯端末装置１００は、端末接近検知部１１２などの他の携帯端末装置の接近を検知する検知手段を備えており、協調制御部１１７は他の携帯端末装置の接近を検知した場合、チャンネル情報や映像出力に関する設定、音声出力に関する設定等を端末装置間で端末間通信処理部１１１により通信を行い、複数の端末装置間で瞬間的に出力設定を行う。これにより、複数の携帯端末装置で１つの放送コンテンツを分割して再生する場合、装置の位置合わせ、チャンネル合わせ、分割表示設定、音量設定などの設定を自動的に且つ瞬間に行うことが可能となる。【選択図】図１
2010026215.tif 000002
【特許請求の範囲】
【請求項１】
動画像データを再生する動画像再生手段と、
他装置の接近を検知する接近検知手段と、
前記接近検知手段で検知された前記他装置と自装置との間の相対位置を検知する相対位置検知手段と、
前記他装置と前記自装置との間で画像出力に関する設定内容を示す再生設定情報を送受信する通信手段と、
前記相対位置検知手段で検知した相対位置と、前記通信手段で前記他装置から取得した再生設定情報とに基づいて、前記動画像再生手段で再生する動画像データの出力設定を決定する出力設定決定手段と、を備え、
前記動画像再生手段は、前記出力設定決定手段で決定された出力設定に応じて、前記動画像データを再生することを特徴とする再生装置。
【請求項２】
前記出力設定決定手段は、前記動画像再生手段で１つの画像を表示させるか、前記１つの画像の一部を表示させるか、を決定することを特徴とする請求項１記載の再生装置。
【請求項３】
前記通信手段は、前記他装置に対して、前記動画像再生手段で再生している動画像データ以外のデータを再生するよう指示する再生設定情報を送信することを特徴とする請求項２記載の再生装置。
【請求項４】
前記動画像再生手段は、前記通信手段で前記他装置から前記再生設定情報を受信した場合、前記動画像データ以外のデータを再生することを特徴とする請求項３記載の再生装置。
【請求項５】
前記動画像再生手段は、前記相対位置に基づいて、前記動画像再生手段で表示する前記１つの画像の一部の表示位置を移動することを特徴とする請求項４記載の再生装置。
【請求項６】
前記動画像再生手段は、前記相対位置に基づいて、他装置との位置あわせ操作を補助する情報を表示することを特徴とする請求項５記載の再生装置。
【請求項７】
前記動画像再生手段は、前記接近検知手段にて検知した第１の他装置および第２の他装置と組み合わせて１つの画像を表示しているときに、前記自装置と前記第１の他装置との相対位置が所定距離よりも移動した場合、前記自装置と前記第２の他装置とによって構成される１つの画像の一部を再生することを特徴とする請求項１乃至６のいずれか一項に記載の再生装置。
【請求項８】
音声データを再生する音声再生手段を更に備え、
前記通信手段は、前記他装置と前記自装置との間で音声出力に関する設定内容も含む再生設定情報を送受信し、
前記出力設定決定手段は、前記相対位置検知手段で検知した相対位置と、前記通信手段で前記他装置から取得した再生設定情報とに基づいて、前記音声再生手段で再生する音声データの出力設定を決定し、
前記音声再生手段は、前記出力設定決定手段で決定された出力設定に応じて、前記音声データを再生することを特徴とする請求項１乃至７のいずれか一項に記載の再生装置。
【請求項９】
前記出力設定決定手段は、複数チャンネルの音声データのうち、再生する音声チャンネルを決定することを特徴とする請求項８記載の再生装置。
【請求項１０】
前記再生設定情報は、音量又は音響効果を示す情報を含み、
前記通信手段は、前記他装置に対して、前記再生設定情報を送信することを特徴とする請求項９記載の再生装置。
【請求項１１】
前記通信手段は、前記他装置との間で映像、音声の出力同期のタイミングを合わせるための出力タイミング情報を送受信することを特徴とする請求項１０記載の再生装置。
【発明の詳細な説明】
【技術分野】
【０００１】
本発明は、無線信号の放送波を受信して該放送波に含まれる番組コンテンツを再生可能な携帯端末装置に用いて好適な再生装置に関する。
【背景技術】
【０００２】
最近の携帯電話、携帯型情報端末（ＰＤＡ：Personal Digital Assistant）、携帯可能なパーソナルコンピュータ、車載端末などの携帯端末装置には、テレビ放送やラジオ放送のような電波（放送波）を受信する機能を搭載し、放送波に含まれる番組コンテンツの再生や記録を行えるものがある。
【０００３】
持ち運びが容易な携帯端末装置は、搭載できる表示装置の大きさが限られてしまうため、表示装置で１つのコンテンツを表示できない場合がある。従来、１つの表示装置で１つのコンテンツを表示できない場合（すなわち、表示サイズが足りない場合）、複数の表示装置で１つのコンテンツを再生するようにした方法が提案されている（例えば、特許文献１参照）。
【０００４】
【特許文献１】特開２００５−０７８０６９号公報
【発明の開示】
【発明が解決しようとする課題】
【０００５】
しかしながら、特許文献１で開示された方法では、予め表示装置が結線されて配置されていることが前提であるため、放送を受信可能な複数の携帯端末装置で実現する場合、端末間の“位置合わせ”、“チャンネル合わせ”、“分割表示設定”、“音量設定”などの各種設定をそれぞれの端末で行う必要があり、しかも利用者側での設定となるので、瞬時に設定を合わせることが困難であった。
【０００６】
本発明は、かかる事情に鑑みてなされたものであり、動画像データを再生可能な端末装置を複数集合させて１つのコンテンツを再生する際に、当該再生を実現する設定を自動的に且つ瞬時に行うことが可能な再生装置を提供することを目的とする。
【課題を解決するための手段】
【０００７】
本発明の再生装置は、動画像データを再生する動画像再生手段と、他装置の接近を検知する接近検知手段と、前記接近検知手段で検知された前記他装置と自装置との間の相対位置を検知する相対位置検知手段と、前記他装置と前記自装置との間で画像出力に関する設定内容を示す再生設定情報を送受信する通信手段と、前記相対位置検知手段で検知した相対位置と、前記通信手段で前記他装置から取得した再生設定情報とに基づいて、前記動画像再生手段で再生する動画像データの出力設定を決定する出力設定決定手段と、を備え、前記動画像再生手段は、前記出力設定決定手段で決定された出力設定に応じて、前記動画像データを再生することを特徴とする。
【０００８】
この構成によれば、動画像データを再生可能な他の再生装置が接近した場合、当該装置の接近を検知して、当該装置との間で再生設定情報の共有を行って同一の設定を共有するので、他装置とで１つの画像を分割して再生する場合、再生設定情報がチャンネル合わせや分割表示設定を含むことで、チャンネル合わせや分割表示設定を自動的に且つ瞬時に合わせることができる。
【０００９】
また、上記構成において、前記出力設定決定手段は、前記動画像再生手段で１つの画像を表示させるか、前記１つの画像の一部を表示させるか、を決定することを特徴とする。
【００１０】
この構成によれば、動画像データを再生可能な他の再生装置が接近した場合、当該装置の接近を検知して、当該装置との間で再生設定情報の共有を行って同一の設定を共有するので、他装置とで１つの画像を分割して再生する場合、再生設定情報がチャンネル合わせや分割表示設定を含むことで、チャンネル合わせや分割表示設定を自動的に且つ瞬時に合わせることができる。
【００１１】
また、上記構成において、前記通信手段は、前記他装置に対して、前記動画像再生手段で再生している動画像データ以外のデータを再生するよう指示する再生設定情報を送信することを特徴とする。
【００１２】
この構成によれば、接近してきた装置で、現在の動画像データを再生する装置に含まれない装置に対して、現在の動画像データ以外のデータを再生させることができる。例えば、映像データ、音声データ、番組情報、データ放送用のデータを含む放送データを扱う場合、同一チャンネルの番組情報又はデータ放送用のデータを再生させることができる。
【００１３】
また、上記構成において、前記動画像再生手段は、前記通信手段で前記他装置から前記再生設定情報を受信した場合、前記動画像データ以外のデータを再生することを特徴とする。
【００１４】
この構成によれば、１つの画像を表示する装置に含まれない他装置の画面を有効に活用でき、他装置の画像表示を阻害することなく裏番組の内容等を表示することができる。
【００１５】
また、上記構成において、前記動画像再生手段は、前記相対位置に基づいて、前記動画像再生手段で表示する前記１つの画像の一部の表示位置を移動することを特徴とする。
【００１６】
この構成によれば、複数台の再生装置で１つの画像を表示する際に、自動で画面の表示位置を変更し、画面位置のずれをなくすことができる。
【００１７】
また、上記構成において、前記動画像再生手段は、前記相対位置に基づいて、他装置との位置あわせ操作を補助する情報を表示することを特徴とする。
【００１８】
この構成によれば、複数台の再生装置で１つの画像を表示する際に、画像の表示位置をずらすことでずれを吸収できないような大きなずれがあった場合でも、矢印や位置合わせの捕縄線などを表示することで、使用者が容易に画面の表示位置を画面位置のずれを合わせることができる。
【００１９】
また、上記構成において、前記動画像再生手段は、前記接近検知手段にて検知した第１の他装置および第２の他装置と組み合わせて１つの画像を表示しているときに、前記自装置と前記第１の他装置との相対位置が所定距離よりも移動した場合、前記自装置と前記第２の他装置とによって構成される１つの画像の一部を再生することを特徴とする。
【００２０】
この構成によれば、複数台の再生装置で１つの画像を表示する後、自装置又は他装置を移動させた場合でも再度装置間で表示に関する調整を行うため、使用者がいずれかの再生装置を移動させて、表示状態にある再生装置から外した場合でも、最適な表示を行うことができる。
【００２１】
また、上記構成において、音声データを再生する音声再生手段を更に備え、前記通信手段は、前記他装置と前記自装置との間で音声出力に関する設定内容も含む再生設定情報を送受信し、前記出力設定決定手段は、前記相対位置検知手段で検知した相対位置と、前記通信手段で前記他装置から取得した再生設定情報とに基づいて、前記音声再生手段で再生する音声データの出力設定を決定し、前記音声再生手段は、前記出力設定決定手段で決定された出力設定に応じて、前記音声データを再生することを特徴とする。
【００２２】
この構成によれば、複数の再生装置で例えば１つの放送コンテンツの音声を分割して再生する場合、音声チャンネルの設定を自動で行うことができる。
【００２３】
また、上記構成において、前記出力設定決定手段は、複数チャンネルの音声データのうち、再生する音声チャンネルを決定することを特徴とする。
【００２４】
この構成によれば、複数の再生装置で例えば１つの放送コンテンツの音声を分割して再生する場合、音声チャンネルの設定を自動で行うことができる。
【００２５】
また、上記構成において、前記再生設定情報は、音量又は音響効果を示す情報を含み、前記通信手段は、前記他装置に対して、前記再生設定情報を送信することを特徴とする。
【００２６】
この構成によれば、音量設定や低音強調などの音響設定を自動的に装置間で行うことができる。
【００２７】
また、上記構成において、前記通信手段は、前記他装置との間で映像、音声の出力同期のタイミングを合わせるための出力タイミング情報を送受信することを特徴とする。
【００２８】
この構成によれば、再生装置間の処理速度や受信データのバッファ量などにより、実際の音声、映像などの出力時刻にばらつきがある場合でも装置同士で同時に出力することができる。
【発明の効果】
【００２９】
本発明によれば、動画像データを再生可能な端末装置を複数集合させて１つのコンテンツを再生する際に、当該再生を実現する設定を自動的に且つ瞬時に行うことが可能な再生装置を提供することができる。
【発明を実施するための最良の形態】
【００３０】
以下、本発明を実施するための好適な実施の形態について、図面を参照して詳細に説明する。
【００３１】
本発明の実施の形態では、放送受信用の携帯端末装置の例として、地上デジタルテレビや地上デジタルラジオなどのデジタル放送を受信する機能を備えた携帯電話に適用した場合を想定したものである。勿論、携帯電話以外にも、携帯型情報端末（ＰＤＡ）、携帯可能なパソコン、車載端末などにも勿論適用可能である。また、デジタル放送以外のアナログ放送またはインターネットなどを用いたストリーミング放送などを受信する機器や、フラッシュメモリなどの記憶素子に記憶させた音声データを含む動画像データを再生するＭＰ３プレーヤなどの再生装置にも適応可能である。
【００３２】
（実施の形態１）
図１は、本発明の実施の形態１に係る携帯端末装置の概略構成を示すブロック図である。図１において、本実施の形態の携帯端末装置１００は、放送用アンテナ９８と、通信用アンテナ９９と、チューナ部１０１と、受信処理部１０２と、音声処理部１０３と、スピーカ１０４と、映像処理部１０５と、データ放送処理部１０６と、番組情報表示処理部１０７と、提示処理部１０８と、ディスプレイ１０９と、入力装置１１０と、端末間通信処理部１１１と、端末接近検知部１１２と、移動量検知部１１３と、端末間相対位置検知部１１４と、端末情報取得部１１５と、設定情報記録部１１６と、協調制御部１１７とを備える。
【００３３】
放送用アンテナ９８は、デジタル放送を受信する際に使用するアンテナである。通信用アンテナ９９は、携帯端末装置間で通信を行う際に使用するアンテナである。チューナ部１０１は、放送用アンテナ９８を介してデジタル放送を受信し、デジタル放送の各放送番組の受信信号を復調してチャネル毎に取り出す。受信信号には放送番組の映像データ、音声データ、番組情報、データ放送用データがデジタルデータとして含まれる。チューナ部１０１は、受信処理部１０２により指示された周波数チャンネルの信号を受信し、復調した放送データを受信処理部１０２へ出力する。本実施の形態ではデジタル放送を想定しているので、映像、音声、データ放送、番組情報などの情報が多重化されたＭＰＥＧ２−ＴＳ（Moving Picture Experts Group 2-Transport Stream）を出力するものとして説明する。
【００３４】
受信処理部１０２は、所定のチャンネルを選局し再生する制御を行う。所定のチャンネルは、入力装置１１０により使用者が設定するか、または協調制御部１１７にて設定される。入力装置１１０または協調制御部１１７は、受信処理部１０２に対してチャンネルの設定の他に、出力する音声チャンネル、音量、低音強調と言った音響効果設定などの音声出力に関する設定を行い、また、映像表示領域、映像拡大縮小設定、明るさなどの映像効果設定などの映像出力に関する設定を行う。さらに、データ放送出力に関する設定、番組情報表示に関する設定、それぞれのデータの出力タイミングなどの設定を行う。
【００３５】
受信処理部１０２は、入力装置１１０または協調制御部１１７で指定されたチャンネルに対応する周波数帯をチューナ部１０１に設定することでチューナ部１０１から多重化された放送データを取得する。そして、入力装置１１０または協調制御部１１７で設定された情報に従ってチューナ部１０１から取得した放送データの多重化の分離を行い、音声データを音声処理部１０３へ出力し、映像データを映像処理部１０５へ出力し、データ放送のデータをデータ放送処理部１０６へ出力し、番組情報のデータを番組情報表示処理部１０７へ出力する。また、入力装置１１０または協調制御部１１７からの各種設定や出力タイミングもそれぞれの処理部（音声処理部１０３，映像処理部１０５，データ放送処理部１０６、番組情報表示処理部１０７）に設定する。
【００３６】
また、受信処理部１０２は、提示処理部１０８に対し、映像、データ放送、番組情報の表示の有無、表示サイズ、表示倍率及び表示位置を指定し、ディスプレイ１０９に表示する映像データのレイアウトを設定する。また、受信処理部１０２は、視聴チャンネルや設定が変更になる都度その視聴チャンネルまたは設定情報を協調制御部１１７へ出力する。
【００３７】
音声処理部１０３は、受信処理部１０２より入力される音声データを復号し、音声信号をスピーカ１０４へ出力し、音声の再生を行う。また、音声処理部１０３は、受信処理部１０２より入力される音声設定に従い音声の再生設定を変更する。スピーカ１０４は、音声処理部１０３より入力される音声信号を音声として出力する。映像処理部１０５は、受信処理部１０２より入力される映像データを復号し、提示処理部１０８を介して映像信号をディスプレイ１０９へ出力し、映像の再生を行う。また、映像処理部１０５は、受信処理部１０２より入力される映像設定に従い映像の再生設定を変更する。
【００３８】
データ放送処理部１０６は、受信処理部１０２より入力されるデータ放送のデータを復号し、提示処理部１０８を介して映像信号をディスプレイ１０９へ出力し、データ放送の再生を行う。また、データ放送処理部１０６は、受信処理部１０２より入力されるデータ放送設定に従いデータ放送の再生設定を変更する。
【００３９】
番組情報表示処理部１０７は、受信処理部１０２より入力される番組情報のデータを、電子番組表や番組リストのように端末仕様に合わせ加工し、提示処理部１０８を介して映像信号をディスプレイ１０９へ出力し、番組情報の表示を行う。また、番組情報表示処理部１０７は、受信処理部１０２より入力される番組情報設定に従い番組情報の表示設定を変更する。
【００４０】
提示処理部１０８は、映像処理部１０５と、データ放送処理部１０６と、番組情報表示処理部１０７の各々から入力される映像信号を、受信処理部１０２より設定されるレイアウト設定に従って、映像、データ放送、番組情報の表示の有無、表示サイズ、表示倍率と表示位置の重ね合わせを行い、１つの映像信号に変換してディスプレイ１０９へ出力する。ディスプレイ１０９は提示処理部１０８より入力される映像信号を表示する。
【００４１】
入力装置１１０は、利用者の入力操作のために携帯端末装置１００に設けられている多数の操作キー等のスイッチ等による入力部からの入力を受け付け、その情報を受信処理部１０２または協調制御部１１７へ出力する。
【００４２】
端末間通信処理部１１１は、他の携帯端末装置との間で通信を行うための通信処理部であり、協調制御部１１７より入力されるチャンネル共有情報、チャンネル情報、協調情報、協調終了情報、端末情報、端末の移動量などの情報を他の携帯端末装置との間で相互に送受信し、受信した情報を協調制御部１１７へ出力する。具体的な通信方法としては、無線ＬＡＮや携帯電話端末などの無線機基地局を介して通信する方法、Ｂｌｕｅｔｏｏｔｈ（登録商標）、赤外線など、直接、携帯端末装置間で通信する方法がある。なお、携帯端末装置間で通信できるものであれば、個々で示した通信方法以外でもよい。
【００４３】
端末接近検知部１１２は、他の携帯端末装置１００が接近または離脱したことを検知するセンサであり、所定の範囲内に他の携帯端末装置１００が接近した場合、協調制御部１１７に該他の携帯端末装置１００が接近したことを通知する。また、近接した他の携帯端末装置１００が離れた場合、協調制御部１１７に該他の携帯端末装置１００が離脱したことを通知する。なお、検出手段は問わないが、携帯端末装置装間の距離が分る検出手段である場合は併せて携帯端末装置間の距離の情報を協調制御部１１７へ出力する。
【００４４】
移動量検知部１１３は、自端末装置１００の直近の移動量を検知する加速度センサであり、移動を検知した場合その移動量を協調制御部１１７へ出力する。なお、直近の携帯端末装置１００の移動量を検知できれば他の方法を用いてもよい。
【００４５】
端末間相対位置検知部１１４は、他の携帯端末装置１００が上下左右どの位置に、どの方向でどの携帯端末装置１００が存在するのかを検知するセンサであり、検知した相対位置の情報を協調制御部１１７へ出力する。なお、携帯端末装置との相対位置が検知できる方法であればどのような方法を用いてもよい。
【００４６】
端末情報取得部１１５は、他の携帯端末装置１００固有の情報（以降、“端末情報”と記載する）を取得し、協調制御部１１７へ出力する。端末情報としては、ディスプレイ１０９のサイズや明るさ、スピーカ１０４の出力音声チャンネル数や音量などのデバイス情報、音声設定情報、映像設定情報などの設定情報、放送データを受信してから実際に映像及び音声を出力するのに要する時間などの同期情報、使用者が現在のチャンネルをどのくらい視聴しているのか、また視聴している番組の放送時間など、視聴履歴情報などがある。
【００４７】
設定情報記録部１１６は、他の携帯端末装置１００が接近時に変更前の元のチャンネルや設定情報を協調制御部１１７が記録し、他の携帯端末装置１００が離脱した時に協調制御部１１７が変更前の情報を読み出し再設定するためのメモリ等で構成された記憶装置である。
【００４８】
協調制御部１１７は、入力装置１１０より協調動作の開始／終了の要求を受け付けるとともに、端末接近検知部１１２、移動量検知部１１３、端末間相対値検知部１１４、端末情報取得部１１５から入力される自端末装置１００の情報と、チャンネル情報、協調情報、協調終了情報、端末情報などの端末間通信処理部１１１が受信した情報とから、自端末装置１００の選局チャンネルと再生設定を判断し、受信処理部１０２にその内容を設定する。
【００４９】
また、協調制御部１１７は、必要に応じて、チャンネル情報、協調情報、協調終了情報、端末情報などの自端末装置１００の情報を端末間通信処理部１１１より送信する。また、協調制御部１１７は、他の携帯端末装置１００が接近時に、変更前の元のチャンネルや設定情報を記録し、他の携帯端末装置１００が離脱時に、変更前の情報の読み出し再設定を受信処理部１０２に行う。
【００５０】
次に、本実施の形態の携帯端末装置１００の動作を説明する。
図２は、本実施の形態の携帯端末装置１００における端末協調モード時の処理の内容を示すフローチャートである。利用者が自己の携帯端末装置１００と他の複数の携帯端末装置を用いて視聴しようとする場合には、携帯端末装置間の距離に応じて、図２に示すような協調制御処理が実行される。この図２に示す協調制御処理について以下に説明する。
【００５１】
（協調制御処理）
まず自端末装置１００が協調制御を行う設定であるか否かを判定する（ステップＳ１０１）。協調制御を行う設定である場合はステップＳ１０２に進み、協調制御を行う設定でなければ本処理を終了する。なお、協調制御を行う設定は、利用者からの入力操作に従い入力装置１１０から設定の変更を行うことを想定しているが、他の方法により設定の変更を行ってもよい。
【００５２】
次いで、端末接近検知部１１２が他の携帯端末装置１００の接近を検知する（ステップＳ１０２）。そして、他の携帯端末装置１００が接近したか否かを判定し（ステップＳ１０３）、接近していない場合はステップＳ１０１に戻り、他の携帯端末装置１００が接近した場合はステップＳ１０４に進む。ステップＳ１０４では、移動量検知部１１３、端末間相対位置検知部１１４、端末情報取得部１１５のいずれかから得られる情報により、自端末装置１００がチャンネルを共有する側（以降「チャンネル共有元」と記載する）であるか、共有される側（以降「チャンネル共有先」と記載する）であるのかを判断する処理を行う。このステップＳ１０４の詳細な処理の説明は図３にて行う。
【００５３】
次いで、自端末装置１００がチャンネル共有元であるか、チャンネル共有先であるか示すチャンネル共有情報を、他の携帯端末装置１００に端末間通信処理部１１１を通じて送信するとともに、他の携帯端末装置１００から送信されるチャンネル共有情報を受信する（ステップＳ１０５）。次いで、自端末装置１００のチャンネル共有情報と他端末装置１００より受信したチャンネル共有情報とからチャンネルの共有制御が可能であるかどうかを判定する（ステップＳ１０６）。他の携帯端末装置１００からのチャンネル共有情報を受信できない場合（他の携帯端末装置１００の全てが協調制御設定となっていない場合）や、他の携帯端末装置１００と自端末装置１００のチャンネル共有情報がすべてチャンネル共有先の場合（受信機の電源がすべてＯＦＦになっている場合）は、チャンネル共有可能でないのでステップＳ１０１に戻る。これ以外の場合はチャンネル共有が可能であるのでステップＳ１０７に進む。
【００５４】
ステップＳ１０７では視聴状態記録処理を行う。すなわち、協調制御終了後に現在の視聴設定に戻せるようにするために、現在の視聴設定内容を設定情報記録部１１６に記録する。記録する内容としては、視聴チャンネル、映像、音声に関する出力設定、画面レイアウト設定など、協調制御により変更される可能性のある項目の設定値を記録する。
【００５５】
次いで、ステップＳ１０４のチャンネル共有判断に基づき、自端末装置１００がチャンネル共有元であるか否かを判定する（ステップＳ１０８）。自端末装置１００がチャンネル共有元である場合はステップＳ１１０に進み、チャンネル共有元でない場合（即ちチャンネル共有先の場合）はステップＳ１０９に進む。
【００５６】
ステップＳ１０９では、チャンネル共有先としてチャンネル共有元の他の携帯端末装置１００から受信した協調制御情報に従って自端末装置１００の番組のチャンネルや再生設定を変更する。ここで、協調制御情報とは、それぞれの携帯端末装置１００が他の携帯端末装置１００に協調して制御を行うための設定情報であり、携帯端末装置１００ごとの、受信する放送チャンネル、音声チャンネル、音量、低音強調と言った音響効果設定などの音声出力に関する設定、映像表示領域、映像拡大縮小設定、明るさなどの映像効果設定などの映像出力に関する設定、同様にデータ放送出力に関する設定、番組情報表示に関する設定、それぞれのデータの出力タイミングなどの設定、映像、データ放送、番組情報の表示の有無、表示サイズ、表示倍率と表示位置を指定し、ディスプレイ１０９に表示する映像データのレイアウトを設定など、設定を合わせるために必要な項目の情報が含まれる。また、自端末装置１００の設定が変更になった場合はその内容を協調制御情報に含めて送信を行う。ステップ１０９の詳細な処理の説明は図７にて行う。
【００５７】
ステップＳ１１０では、自端末装置１００がチャンネル共有元として他の携帯端末装置１００を含めた協調制御情報を作成し、チャンネル共有先の携帯端末装置１００に端末間通信処理部１１１を通じて送信するとともに自端末装置１００の協調制御を行う。また、チャンネル共有先の携帯端末装置１００より協調制御情報が送られてきた場合はそれに応じて再度の協調制御情報作成と送信、自端末装置１００の協調制御を行う。ステップＳ１１０の詳細な処理の説明は図４にて行う。
【００５８】
次いで、設定情報記録部１１６に記録した、現在の視聴設定内容である視聴チャンネル、映像、音声に関する出力設定、画面レイアウト設定など、協調制御により変更される可能性のある項目の設定値を読み出し、再度設定を行い、協調制御前の視聴設定に戻す（ステップＳ１１１）。
【００５９】
（チャンネル共有判断処理）
図３は、携帯端末装置１００における共有チャンネル決定処理（図２のステップＳ１０４）の内容を示すフローチャートである。この処理では移動量検知部１１３、端末間相対位置検知部１１４及び端末情報取得部１１５のいずれかから得られる情報より、自端末装置１００がチャンネルを共有する側であるチャンネル共有元であるか、共有される側であるチャンネル共有先であるのか否かを判断する処理を行う。以下、図３に示す処理について説明する。
【００６０】
まず自端末装置１００が放送を視聴しているかどうか判定する（ステップＳ２０１）。視聴中である場合（即ちチューナ部１０１が所定の放送チャンネルを受信している場合）はステップＳ２０２に進む。視聴中でない場合（即ちチューナ部１０１が放送の受信を行っていない場合）はステップＳ２１２に進み、自端末装置１００をチャンネル共有先とする。
【００６１】
ステップＳ２０２では、自端末装置１００が移動量判断モードでチャンネル共有判断を行うか否かを判定する。ここで、移動量判断モードとは、直近の端末移動量によってチャンネル共有判断を行うモードであり、使用者が事前に入力装置１１０を通じて設定する。移動量判断モードである場合はステップＳ２０３に進み、移動量判断モードでない場合はステップＳ２０６に進む。
【００６２】
ステップＳ２０３では、移動量検知部１１３より直近の自端末装置１００の移動量を取得する。次いで、ステップＳ２０３で取得した自端末装置１００の移動量を、端末間通信処理部１１１を通じて他の携帯端末装置１００に送信すると同時に、他の携帯端末装置１００から移動量を受信する（ステップＳ２０４）。
【００６３】
次いで、ステップＳ２０３で取得した自端末装置１００の移動量とステップＳ２０４で取得した他の携帯端末装置１００の移動量とを比較し、自端末装置１００の移動量が大きいか否かを判定する（ステップＳ２０５）。自端末装置１００の移動量が他の携帯端末装置１００の移動量より大きい場合はステップＳ２１２に進み、自端末装置１００をチャンネル共有先とする。また、自端末装置１００の移動量が他の携帯端末装置１００と比べて最も小さい場合はステップＳ２１３に進み、自端末装置１００をチャンネル共有元とする。なお、本実施の形態では、移動量が最も小さい携帯端末装置１００をチャンネル共有元と判定するようにするが、携帯端末装置１００の直近の移動量を用いて判定するのであれば、他の判断基準（例えば「直近の移動量が少ない」など）でもよい。
【００６４】
一方、ステップＳ２０６では、自端末装置１００が端末位置判断モードでチャンネル共有判断を行うか否かを判定する。ここで、端末位置判断モードとは、携帯端末装置１００同士の上下または左右などの相対的な位置関係を元にチャンネル共有判断を行うモードであり、使用者が事前に入力装置１１０を通じて設定する。端末位置判断モードである場合はステップＳ２０７に進む。端末位置判断モードでない場合は視聴履歴判断モードとみなしステップＳ２０９に進む。ここで、視聴履歴判断モードとは、視聴時間が最も長いチャンネルに共有するチャンネルを合わせる、または、視聴中の番組の終了時間が最も遅い番組に合わせるなどのように、視聴中の番組情報と視聴者の視聴履歴から、チャンネル共有判断を行うモードであり、使用者が事前に入力装置１１０を通じて設定する。なお、本実施の形態では、ステップＳ２０２、ステップＳ２０６を用いて、移動量判断モード、端末位置判断モード、視聴履歴判断モードの順にモードを判断したが、どの順番で判断モードを判定してもよい。
【００６５】
ステップＳ２０７では、端末間相対位置検知部１１４より、携帯端末装置１００同士の相対的な位置情報を取得する。次いで、ステップＳ２０７で取得した携帯端末装置１００同士の相対的な位置情報を元に自端末装置１００が他の携帯端末装置１００より予め決められた位置（例えば下や右）にあるか否かを判定する（ステップＳ２０８）。なお、本実施の形態では、下にある携帯端末装置１００をチャンネル共有元と判定するが、相対的な端末同士の位置関係を用いて判定するのであれば、他の判断基準（例えば右）でもよい。自端末装置１００の位置が最も下にある場合はステップＳ２１３に進み、自端末装１００をチャンネル共有元とし、自端末装置１００が最も下にない場合はステップＳ２１２に進み、自端末装置１００をチャンネル共有先とする。
【００６６】
ステップＳ２０９では、端末情報取得部１１５より、自端末装置１００の視聴履歴または番組情報を取得する。なお、端末情報取得部１１５より視聴履歴や番組情報を取得する以外に受信処理部１０２より直接取得するようにしてもよい。次いで、ステップＳ２１０では、ステップＳ２０９で取得した自端末装置１００の視聴履歴または番組情報を、端末間通信処理部１１１を通じて他の携帯端末装置１００に送信すると同時に、他の携帯端末装置１００から他の携帯端末装置１００の視聴履歴または番組情報を受信する（ステップＳ２１０）。
【００６７】
次いで、ステップＳ２０９で取得した自端末装置１００の視聴履歴または番組情報とステップＳ２１０で取得した他の携帯端末装置１００の視聴履歴または番組情報とを比較し、自端末装置１００が他の携帯端末装置１００より予め決められた判断基準（「視聴時間が最も長い」や「視聴中の番組の終了時間が最も遅い」など）を満たすか否かを判定する（ステップＳ２１１）。自端末装置１００の視聴時間が他の携帯端末装置１００と比べて短い場合はステップＳ２１２に進み、自端末装置１００をチャンネル共有先とし、視聴時間が他端末装置と比べて最も長い場合はステップＳ２１３に進み、自端末装置１００をチャンネル共有元とする。
【００６８】
なお、本実施の形態では、視聴時間が最も長いチャンネルの携帯端末装置１００をチャンネル共有元と判定したが、視聴履歴または番組情報を用いて判定するのであれば、他の判断基準（例えば「視聴中の番組の終了時間が最も遅い」など）でもよい。また、本実施の形態では、移動量、端末相対位置、視聴履歴をそれぞれのモードに分類してチャンネル共有判断を行ったが、移動量、端末相対位置、視聴履歴にそれぞれ重み付けを行い、それぞれのパラメータを加味して総合的な共有判断を行ってもよい。
【００６９】
（チャンネル共有元の協調処理）
図４は、携帯端末装置１００におけるチャンネル共有元の協調処理（ステップＳ１１０）の内容を示すフローチャートである。この処理では、チャンネル共有元として他の携帯端末装置１００を含めた協調制御情報を作成し、各携帯端末装置１００に端末間通信処理部１１１を通じて送信するとともに自端末装置１００の協調制御を行う。また、他の携帯端末装置１００より協調制御情報が送られてきた場合はそれに応じて再度の協調制御情報の作成と送信並びに自端末装置１００の協調制御を行う。図４に示す処理について以下に説明する。
【００７０】
まずチャンネル共有先の携帯端末装置１００の端末情報を端末間通信処理部１１１より受信する（ステップＳ３０１）。次いで、自端末装置１００が、本発明の協調制御を行う設定であるか否かを判定する（ステップＳ３０２）。協調制御設定である場合はステップＳ３０３に進む。これに対し協調制御設定でない場合はステップＳ３１３に進み、自端末装置１００の協調動作を終了し、図２のステップＳ１１１により協調動作前の視聴状態に戻す。ステップＳ３０３では、端末接近検知部１１２と端末間相対位置検知部１１４より、他の携帯端末装置１００との間の距離と相対的な位置を取得する。
【００７１】
次いで、他の携帯端末装置１００の協調情報を端末間通信処理部１１１にて受信する、または、入力装置１１０より自端末装置１００の音量や視聴チャンネルなど放送コンテンツの再生に関する設定が変更になったか否かを判定する（ステップＳ３０４）。他の携帯端末装置１００から協調情報を受信するということはチャンネル共有先の携帯端末装置１００にて視聴に関する設定が変更になった場合である。つまり、他の携帯端末装置１００または自端末装置１００のうちどれかに設定変更が行われた場合、再度、チャンネル共有元の携帯端末装置１００にて協調情報を作成する必要があるため、他の携帯端末装置１００の協調情報を受信する、または、自端末装置１００の設定に変更があった場合はステップＳ３０６に進む。全ての携帯端末装置１００に設定変更がない場合、すなわち他の携帯端末装置１００からの協調情報が無く、自端末装置１００の設定に変更もない場合はステップＳ３０５に進む。
【００７２】
ステップＳ３０５では、ステップＳ３０３にて取得した携帯端末装置１００同士の距離を前回取得した距離と比較し、変更があるか否かを判定する。携帯端末装置１００同士の距離に変更がある場合は、再度、協調情報を作成するためステップＳ３０６に進む。携帯端末装置１００同士の距離に変更がない場合はステップＳ３０２に戻り、ステップＳ３０２からステップＳ３０５までの処理を繰り返す。ステップＳ３０６では、ステップＳ３０３で取得した携帯端末装置１００同士の距離を元に自端末装置１００つまりチャンネル共有元の携帯端末装置１００が他の携帯端末装置１００と予め設定しておいた協調動作の範囲内にいるのかどうか判定する。協調動作の範囲内の距離に他の携帯端末装置１００が存在すればステップＳ３０７に進む。協調動作の範囲内の距離に他の携帯端末装置１００が存在しない場合はステップＳ３１３に進み、自端末装置１００の協調動作を終了し、図２のステップＳ１１１により協調動作前の視聴状態に戻す。
【００７３】
ステップＳ３０７では、各携帯端末装置１００の受信するチャンネル、出力映像の大きさや範囲などのレイアウト設定、出力するコンテンツ（例えば映像、データ放送、番組情報）、明るさといった映像設定など、画面出力に対する出力設定のための協調情報を作成する。ステップＳ３０７の詳細な処理の説明は図５にて行う。
【００７４】
次いで、各携帯端末装置１００の再生する音声チャンネルと、音量、音響効果など、音声出力に対する出力設定のための協調情報を作成する（ステップＳ３０８）。ステップＳ１０９の詳細な処理の説明は図６にて行う。
【００７５】
次いで、ステップＳ３０３で取得した携帯端末装置１００間の相対的な位置情報と、ステップＳ３０７で作成した画面出力に関する協調情報を元に協調情報の修正や位置合わせガイド情報の作成を行う（ステップＳ３０９）。各携帯端末装置１００の画面出力に関する協調情報と位置情報により、各携帯端末装置１００間で画面の出力位置をずらして映像の位置合わせが可能な場合は各携帯端末装置１００の出力位置をずらし、複数台で１つコンテンツの画面表示位置が合うように協調情報を修正する。各携帯端末装置１００の出力表示位置の変更で対応ができない位置にある場合は、各携帯端末装置１００に位置合わせ用のグリッド線を出すか、または、上下左右などの矢印などで端末位置合わせを誘導する情報を出力するように設定するなど、協調情報に位置合わせ情報を追記する。
【００７６】
次いで、ステップＳ３０１で取得した他の携帯端末装置１００の端末情報と端末情報取得部１１５より取得した自端末装置１００の端末情報より、各携帯端末装置１００間の映像、音声の出力同期のタイミングを合わせるための出力タイミング情報を共有情報に追記する（ステップＳ３１０）。携帯端末装置１００の仕様により、携帯端末装置１００内の放送データのため込みバッファ量や、チューナ部１０１、音声処理部１０３や映像処理部１０５などの処理速度が異なり、同じ放送を受信した場合でも異なる携帯端末装置１００間で同時に再生されないことがある。ステップＳ３１０では、この出力タイミングのずれを合わせるため、最も遅い携帯端末装置１００の映像または音声の出力タイミングに合わせる、または、チャンネル共有元の出力タイミングに合わせるなどの情報を協調情報に追記する。なお、出力タイミングの合わせ方については、放送データに含まれる提示時刻情報（ＰＴＳ：Presentation Time Stamp）や、システム基準時間（ＳＴＣ：System Time Clock）などの、クロック情報を用いて携帯端末装置間で高精度に出力タイミングを合わせるなどの方法でもよい。
【００７７】
次いで、作成した協調情報を端末間通信処理部１１１より他の携帯端末装置１００に送信する（ステップＳ３１１）。次いで、作成した協調情報を元に自端末装置１００の設定を変更する（ステップＳ３１２）。次いで、協調動作を終了することを示す協調終了情報を端末間通信処理部１１１より、チャンネル共有先の携帯端末装置１００に送信する（ステップＳ３１３）。
【００７８】
（画面出力決定処理）
図５は、携帯端末装置１００における画面出力決定処理（図４のステップＳ３０７）の内容を示すフローチャートである。この処理では、各携帯端末装置１００の受信するチャンネル、出力映像の大きさや範囲などのレイアウト設定、出力するコンテンツ（例えば映像、データ放送、番組情報）、明るさといった映像設定など、画面出力に対する出力設定のための協調情報を作成する。図５に示す処理について以下に説明する。
【００７９】
まず図４のステップＳ３０３で取得した他の携帯端末装置１００との間の相対位置の情報よりディスプレイがある一定以上近接している、または接触している携帯端末装置１００を探し、映像の表示サイズ比（例えば１６：９や４：３など）を変更することなく複数台の携帯端末装置１００で１つの映像を表示できる領域とその携帯端末装置１００を特定する（ステップＳ４０１）。ここで探索した画面がチャンネル共有して表示するメインの表示画面となる。次いで、ステップＳ４０１で決定した複数の携帯端末装置１００で構成する最大表示画面で１つの映像コンテンツを表示するために、該当携帯端末装置１００の受信チャンネルを、共有するチャンネルに設定し、各携帯端末装置１００で表示する映像の領域、拡大倍率、表示位置を携帯端末装置１００ごとに設定するための情報を協調情報に記載する（ステップＳ４０２）。
【００８０】
次いで、ステップＳ４０１、ステップＳ４０２でメインの表示領域に設定されなかった表示空きの携帯端末装置１００があるか否かを判定する（ステップＳ４０３）。表示空きの端末装置１００が存在する場合にはステップＳ４０４に進み、その携帯端末装置１００でデータ放送の表示を行うように設定する。表示空きの携帯端末装置１００が存在しない場合は本処理（画面出力決定処理）を終了する。次いで、表示空きの携帯端末装置１台に対して共有するチャンネルのデータ放送を表示するように、該当携帯端末装置１００に対し、受信するチャンネルとデータ放送表示の設定を協調情報に対し追記する（ステップＳ４０４）。
【００８１】
ステップＳ４０４以降でさらに表示空きの携帯端末装置１００があるか否かを判定する（ステップＳ４０５）。表示空きの携帯端末装置１００がある場合はステップＳ４０６に進み、当該携帯端末装置１００で番組情報を表示するように設定する。表示空きの携帯端末装置１００が存在しない場合は本処理（画面出力決定処理）を終了する。次いで、ステップＳ４０６では、表示空き携帯端末装置１台に対して、電子番組表やその番組リストなど番組情報を用いた番組表示を行うように、該当携帯端末装置１００に対し、受信するチャンネルと番組情報表示の設定を協調情報に対し追記する。
【００８２】
次いで、ステップＳ４０６以降でさらに表示空きの携帯端末装置１００があるか否かを判定する（ステップＳ４０７）。表示空きの携帯端末装置１００がある場合はステップＳ４０８に進み、当該携帯端末装置１００で他の放送チャンネルを受信して再生するように設定する。表示空きの携帯端末装置１００が存在しない場合は本処理（画面出力決定処理）を終了する。ステップＳ４０８では、表示空きの携帯端末装置１００に他の放送チャンネルを受信し再生するように該当携帯端末装置１００に対して受信するチャンネルと番組の再生の設定を協調情報に対し追記する。
【００８３】
次いで、作成中の協調情報より、全ての受信可能放送チャンネルを全て表示したか否かを判定する（ステップＳ４０９）。全ての受信可能放送チャンネルを全て表示した場合は、表示空きの携帯端末装置１００がある場合でも本実施の形態における全ての表示項目を表示し終わっているため、本処理（画面出力決定処理）を終了する。まだ未表示の放送チャンネルがある場合はステップＳ４０７に戻り、他のチャンネルの表示を試みる。
【００８４】
なお、本実施の形態では、メインの最大画角の映像、データ放送、番組情報、他のチャンネルの表示の順に探索し設定を行ったが、順番や表示項目の有無に関して変更してもよい。また録画番組情報や、メール画面、待ち受け画面など他の表示項目を空き端末装置に表示するようにしてもよい。
【００８５】
（音声出力決定処理）
図６は、携帯端末装置１００における音声出力決定処理（図４のステップＳ３０８）の内容を示すフローチャートである。この処理では、各携帯端末装置１００が再生する音声チャンネル、音量、音響効果など音声出力に対する出力設定のための協調情報を作成する。ここでは、放送される音声が５．１チャンネルの場合を想定して説明するが、チャンネル数や端末仕様に合わせて再生チャンネルを増減してもよい。また、図６の各ステップにおいて使用する携帯端末装置１００間の相対的な位置情報はステップＳ３０３で取得した位置情報を使用する。
【００８６】
まず共有チャンネルを受信する携帯端末装置１００の中で最も右端の携帯端末装置１００で音声チャンネルのＲ（右チャンネル）を出力するように、該当携帯端末装置１００に対して右チャンネルの音声再生の設定を協調情報に対し追記する（ステップＳ５０１）。次いで、共有チャンネルを受信する携帯端末装置１００の中で最も左端の携帯端末装置１００で音声チャンネルのＬ（左チャンネル）を出力するように、該当携帯端末装置１００に対して左チャンネルの音声再生の設定を協調情報に対し追記する（ステップＳ５０２）。
【００８７】
次いで、ステップＳ５０１とステップＳ５０２とで決定した左右の音声チャンネルを再生する携帯端末装置１００の間に携帯端末装置１００があるか否かを判定する（ステップＳ５０３）。携帯端末装置１００が存在する場合は該当携帯端末装置１００を音声の前方中央の音声チャンネルに割り当てるため、ステップＳ５０４に進む。携帯端末装置１００が存在しない場合はステップＳ５０５に進む。放送されている音源が前方中央の音声チャンネルを必要とせず、携帯端末装置１００の音声処理としても前方中央の音声チャンネルを必要としない場合はステップＳ５０３とステップＳ５０４は省略される。
【００８８】
ステップＳ５０４では、ステップＳ５０３で調査した左右の音声チャンネルを再生する携帯端末装置１００の間に存在する携帯端末装置１００のうち、左右の携帯端末装置１００の間の中心に最も近い携帯端末装置１００を前方中央の音声チャンネルとして出力するように、該当携帯端末装置１００に対して前方中央のチャンネルの音声再生の設定を協調情報に対し追記する。
【００８９】
ステップＳ５０５では、表示画面から向かって後ろに携帯端末装置１００が存在するか否かを判定する。携帯端末装置１００が存在する場合は後方音声チャンネルの出力を行うよう設定するためステップＳ５０６に進む。後方に携帯端末装置１００が存在しない場合は、ステップＳ５０７に進む。なお、放送されている音源が後方の音声チャンネルを必要とせず、携帯端末装置１００の音声処理としても後方の音声チャンネルを必要としない場合はステップＳ５０５とステップＳ５０６は省略される。
【００９０】
ステップＳ５０６では、ステップＳ５０５で調査した後方の携帯端末装置１００に対して後方の音声チャンネルを割り当てるように設定を行うため、後方の最も左側に位置する携帯端末装置１００に後方の左チャンネルを、後方の最も右側に位置する携帯端末装置１００に後方右チャンネルを出力するように、該当携帯端末装置１００に対して音声再生の設定を協調情報に対し追記する。
【００９１】
ステップＳ５０７では、全ての携帯端末装置１００の音量設定、音響効果に関連する設定を協調情報に対し追記する。ステップＳ５０１からステップＳ５０６までの処理で音声チャンネルが割り当てられた携帯端末装置１００では、共有元と同一の音量、音響になるように共有情報に設定を追記する。その他音声チャンネルが割り当てられなかった携帯端末装置１００には消音の設定を行う。
【００９２】
なお、本実施の形態では、最も右端の携帯端末装置１００を右チャンネルに設定したが、利用者の位置などを考慮し他の方法を用いて右チャンネルを決定してもよい。また、最も左端の携帯端末装置１００を左チャンネルにし設定したが、利用者の位置などを考慮し他の方法を用いて左チャンネルを決定してもよい。また、最も中央の携帯端末装置１００を前方中央チャンネルに設定したが、利用者の位置などを考慮し他の方法を用いて前方チャンネルを決定してもよい。また、後方にある携帯端末装置１００のうち最も左右に位置する携帯端末装置１００に後方左右の音声チャンネルを設定したが、利用者の位置などを考慮し他の方法を用いて後方チャンネルを決定してもよい。また、音量や音響設定を均一に行ったが、再生チャンネルごとに音量や音響効果を変更してもよい。
【００９３】
（チャンネル共有先の協調処理）
図７は、携帯端末装置１００における共有先協調処理（ステップＳ１０９）の内容を示すフローチャートである。この処理では、チャンネル共有先としてチャンネル共有元から受信した協調制御情報に従って携帯端末装置１００の番組のチャンネルや再生設定を変更する。ここで、協調制御情報とは、それぞれの携帯端末装置１００が他の携帯端末装置１００に協調して制御を行うための設定情報であり、携帯端末装置１００ごとの、受信する放送チャンネル、音声チャンネル、音量、低音強調といった音響効果設定などの音声出力に関する設定、映像表示領域、映像拡大縮小設定、明るさなどの映像効果設定などの映像出力に関する設定、同様にデータ放送出力に関する設定、番組情報表示に関する設定、それぞれのデータの出力タイミングなどの設定、映像、データ放送、番組情報の表示の有無、表示サイズ、表示倍率と表示位置を指定し、ディスプレイに表示する映像データのレイアウトを設定など、設定を合わせるために必要な項目の情報が含まれる。また、自端末装置１００の設定が変更になった場合はその内容を協調制御情報に含めて送信を行う。図７に示す処理について以下に説明する。
【００９４】
まず端末情報をチャンネル共有元に端末間通信処理部１１１を介して送信する（ステップＳ６０１）。次いで、自端末装置１００が、本発明の協調制御を行う設定であるか否かを判定する（ステップＳ６０２）。協調制御設定である場合はステップＳ６０３に進む。これに対し、協調制御設定でない場合はステップＳ６０８に進み、協調動作を終了することを示す協調終了情報を端末間通信処理部１１１より、チャンネル共有元の携帯端末装置１００に送信する。
【００９５】
ステップＳ６０３では、協調動作を終了することを示す協調終了情報をチャンネル共有元の携帯端末装置１００より受信したか否かを判定する（ステップＳ６０３）。協調終了情報を受信した場合は本処理（チャンネル共有先協調処理）を終了する。協調情報を受信していない場合はステップＳ６０４に進む。
【００９６】
ステップＳ６０４では、協調情報をチャンネル共元の携帯端末装置１００より受信したか否かを判定する。協調情報を受信した場合は、受信した協調情報の内容に従って端末設定を変更するためステップＳ６０５に進む。協調情報を受信していない場合はステップＳ６０６に進む。ステップＳ６０５では、ステップＳ６０４で受信した協調情報の内容に従って端末設定を変更する。
【００９７】
ステップＳ６０６では、入力装置１１０より自端末装置１００の音量や、視聴チャンネルなど放送コンテンツの再生に関する設定が変更になったか否かを判定する。設定変更が行われた場合、再度、チャンネル共有元の携帯端末装置１００にて協調情報を作成する必要があり、協調情報をチャンネル共有元の携帯端末装置１００に送信するため、自端末装置１００の設定に変更があった場合はステップＳ６０７に進む。自端末装置１００の設定に変更がない場合はステップＳ６０２に戻る。ステップＳ６０７では、自端末装置１００の設定変更の内容を協調情報として端末間通信処理部１１１より、チャンネル共有元に送信する。
【００９８】
（２台の携帯端末装置１００での動作概略図）
図８及び図９は、２台の携帯端末装置１００を接近させた場合における端末協調制御の内容を示す概略図である。図８及び図９について以下に説明する。
【００９９】
図８において、携帯端末装置１００ａは「チャンネルＡ」を受信しており、放送映像、音声（右チャンネル、左チャンネル）、データ放送を再生しており、協調制御設定がなされているものとする。シーン１では、携帯端末装置１００ｂは放送、放送受信を行っておらず（この場合は放送受信機の電源がＯＦＦにしてある）、放送映像、音声、データ放送の再生は行われていないが、協調制御設定はなされているものとする。
【０１００】
シーン２は、携帯端末装置１００ｂを携帯端末装置１００ａに接近させた場合を示しており、ステップＳ１０２により、端末接近が検知され、協調動作が開始される。この場合、携帯端末装置１００ｂは放送を受信していないため、ステップＳ１０４にて、携帯端末装置１００ａがチャンネル共有元、携帯端末装置１００ｂがチャンネル共有先と判断される。ステップＳ１０５により携帯端末装置１００ａと携帯端末装置１００ｂとの間でチャンネル共有情報が通信され、ステップＳ１０８で共有制御可能とそれぞれの携帯端末装置１００ａ，１００ｂで判断される。ステップＳ１０７にてそれぞれの携帯端末装置１００ａ，１００ｂで、現在の視聴状態が設定情報記録部１１６に記録される。
【０１０１】
携帯端末装置１００ｂは、チャンネル共有先としてステップＳ１０９を行い、携帯端末装置１００ａに端末情報を送信する。また、携帯端末装置１００ａからの協調情報の受信を待ち、協調情報を受信すると、その協調情報に従って自端末装置１００ｂの設定を行う。この例では、携帯端末装置１００ｂは、チャンネルＡを選局し、自身のディスプレイ１０９にチャンネルＡの映像の右半分を全画面表示し、音声は右（Ｒ）チャンネルを、音量を合わせた上で出力する。
【０１０２】
携帯端末装置１００ａは、チャンネル共有元としてステップＳ１１０の処理を行い、携帯端末装置１００ｂからの端末情報を受信した後に協調情報を作成し、作成した協調情報を携帯端末装置１００ｂとともに自端末装置１００ａの設定を行う。この例では，チャンネルＡを選局したまま、自身のディスプレイ１０９にチャンネルＡの映像の左半分を全画面表示し、音声は左（Ｌ）チャンネルを出力する。
【０１０３】
図９において、シーン３では、シーン２の状態から携帯端末装置１００ｂを協調制御の範囲内で遠ざけた場合を示しており、チャンネル共有元である携帯端末装置１００ａがステップＳ３０３により、携帯端末装置１００ｂが移動したことを検知し、再度、協調情報を作成し、携帯端末装置１００ｂに協調情報を送信した後、自端末装置１００ａの設定を変更する。携帯端末装置１００ｂは、この例ではチャンネルＡを選局したまま、ディスプレイ１０９にチャンネルＡの映像を通常視聴状態で表示し、データ放送も通常の状態で表示を行う。また、視聴音声は右チャンネルを出力させたままにする。携帯端末装置１００ａは、この例ではチャンネルＡを選局したまま、ディスプレイ１０９にチャンネルＡの映像を通常視聴状態で表示し、データ放送も通常の状態で表示を行う。また、視聴音声は左チャンネルを出力させたままにする。
【０１０４】
シーン４では、シーン３の状態から携帯端末装置１００ｂを協調制御の範囲外に遠ざけた場合を示しており、チャンネル共有元である携帯端末装置１００ａがステップＳ３０３により、携帯端末装置１００ｂが移動したことを検知し、ステップＳ３０６より、協調動作の対象外に携帯端末装置１００ｂが移動したと判断し、ステップＳ３１３で協調終了情報を携帯端末装置１００ｂに送信し、互いの協調制御を終了する。それぞれの携帯端末装置１００でステップＳ１１１により、協調動作開始前の状態に設定が戻され、シーン１と同様の初期状態に戻る。
【０１０５】
（複数台の携帯端末装置１００での動作概略図）
図８のシーン２、３のように協調動作が行われている場合は、携帯端末装置１００a、携帯端末装置１００ｂのいずれかの携帯端末装置で受信チャンネルの変更や音量の変更など、受信機の設定が変更になった場合、チャンネル共有元である携帯端末装置１００ａにより、再度協調情報が作成され、全ての携帯端末装置にチャンネル情報の変更や音量変更といった受信機の設定が反映される。
【０１０６】
図１０は、複数台の携帯端末装置１００を接近させた場合における端末協調制御の内容を示す概略図である。この例では、音源が５．１ｃｈに対応していないステレオで、疑似５．１ｃｈなどの音声再生機能が携帯端末装置１００に備わっていないとする。図１０について以下に説明する。
【０１０７】
シーン１は、協調動作前の初期状態を示しており、１００ｃ、１００ｄ、１００e、１００ｆ、１００ｇの５台の携帯端末装置で、それぞれ図に示すように、１００ｄはチャンネルＢを、それ以外の携帯端末装置ではチャンネルＡを視聴している。また、１００ｆの携帯端末装置の向きが逆向きとなっており、１００ｇは横画面表示となっている。
【０１０８】
シーン２は、シーン１の状態より全ての携帯端末装置を１００ｅに近づけた場合の動作例を示しており、１００ｅがチャンネル共有元となり、その他の携帯端末装置１００ｃ、１００ｄ、１００ｆ、１００ｇがチャンネル共有先の携帯端末装置となり、協調制御を行う。携帯端末装置１００ｅで共有元協調処理が行われ、ステップＳ３０７で画面出力決定より、携帯端末装置１００ｅと携帯端末装置１００ｆとが最大画角のメインディスプレイに割り当てられた場合を示している。
【０１０９】
ステップＳ３０７では、ステップＳ４０１とステップＳ４０２により携帯端末装置１００ｅをチャンネルＡの左側の映像を表示、携帯端末装置１００ｆでチャンネルＡの右側を表示するように画面割り当てを行う。ここで、携帯端末装置の向きを考慮し、携帯端末装置１００ｆでは映像の表示向きを携帯端末装置１００ｅに合わせるように回転させる。次に、ステップＳ４０４により携帯端末装置１００ｄがデータ放送の表示に、ステップＳ４０６により携帯端末装置１００ｇが番組表示に、ステップＳ４０８により携帯端末装置１００ｃが他のチャンネル（この例ではチャンネルＢ）の通常視聴に割り当てられる。
【０１１０】
ステップＳ３０８では、ステップＳ５０１により携帯端末装置１００ｇが音声右チャンネルの再生を、ステップＳ５０２により携帯端末装置１００ｄが音声左チャンネルの再生を行うように割り当てられる。ステップＳ５０７により、その他の携帯端末装置１００ｃ、１００ｅ、１００ｆは音声再生を行わない消音状態に設定される。
【０１１１】
なお、シーン２の状態で、いずれかの携帯端末装置１００ｃ、１００ｄ、１００ｆ、１００ｇを移動させた場合は、図９で説明した動作と同様に距離に応じて協調制御の内容が変更される。また、シーン２の状態で、いずれかの携帯端末装置の設定を変更した場合、図９で説明した動作と同様に各携帯端末装置にその設定が反映される。
【０１１２】
以上のように、本実施の形態によれば、放送受信機能を備えた携帯電話端末、携帯型情報端末、モバイルＰＣ、車載受信装置、ポータブル受信装置などに適用することにより、それぞれの携帯端末装置を接近させることで、複数の携帯端末装置で１つのコンテンツを再生するための設定を瞬間的に行うことが可能な携帯端末装置を提供できる。
【０１１３】
（実施の形態２）
前述した実施の形態１は、複数の携帯端末装置１００で１つのコンテンツを再生するものであったが、実施の形態２では、複数の携帯端末装置１００で１つのコンテンツの再生を行うのでなく、複数の携帯端末装置１００でチャンネルの共有のみ行うものである。なお、実施の形態１と同様に携帯端末装置１００の例として、地上デジタルテレビや地上デジタルラジオなどのデジタル放送を受信する機能を備えた携帯電話端末に本発明を適用する場合を想定して説明する。勿論、携帯電話端末以外にも、携帯型情報端末（ＰＤＡ）や、携帯可能なパソコンや、車載端末などに本発明を適用することが想定できる。また、デジタル放送以外のアナログ放送、またはインターネットなどを用いたストリーミング放送などを受信する機器にも本発明を適応することが想定できる。
【０１１４】
実施の形態２においては、図１、図３、図１１を用いて説明する。前述した実施の形態１では、図１の協調制御部１１７の具体的な処理内容として、図２の協調制御処理が行われた。実施の形態２では協調制御部１１７の処理を図１１に示すチャンネル共有処理に置き換えることで実現する。それ以外の図１、図３の構成、処理内容については実施の形態１の場合と同様の構成で同様の処理を行う。したがって、本実施の形態では図１１の説明のみを行い、図１、図３の説明を省略する。
【０１１５】
実施の形態２の携帯端末装置１００における動作を説明する。
図１に示す携帯端末装置１００を用いて利用者がチャンネル共有しようとする場合には、携帯端末装置間の距離に応じた協調制御部１１７の動作により、図１１に示すようなチャンネル共有制御の処理が実行される。
【０１１６】
（チャンネル共有処理部）
図１１は、携帯端末装置１００におけるチャネル共有モード時の処理の内容を示すフローチャートである。図１１において、まず携帯端末装置１００が、本発明の協調制御を行う設定であるか否かを判定する（ステップＳ７０１）。協調制御設定である場合はステップＳ７０２に進む。協調制御設定でない場合はチャンネル共有制御を終了する。なお、本設定は利用者からの入力操作に従い入力装置１１０から設定の変更を行うことを想定しているが、他の方法により設定の変更を行ってもよい。
【０１１７】
ステップＳ７０２では、端末接近検知部１１２がチャンネル共有を行っていない他の携帯端末装置１００が接近していないか検知を行う。次いで、ステップＳ７０２で行ったチャンネル共有を行っていない他の携帯端末装置１００が接近した位置に存在するか否かを判定する（ステップＳ７０３）。本実施の形態では、無限にチャンネル情報の送受信が繰り返されないようにするために、一度チャンネル情報を送受信し合った携帯端末装置同士が、チャンネル共有の範囲内にいる場合はチャンネル共有対象から外し、次のステップに進まないようにする。また一度チャンネル共有を行った携帯端末装置間でもチャンネル共有の範囲外に移動した場合はチャンネル共有対象と見なす。チャンネル共有対象の携帯端末装置が接近している場合はステップＳ７０４に進む。チャンネル共有対象の携帯端末装置が接近していない場合はステップＳ７０１戻る。
【０１１８】
ステップＳ７０４では、移動量検知部１１３、端末間相対位置検知部１１４、端末情報取得部１１５のいずれかから得られる情報より、自端末装置がチャンネルを共有する側（「チャンネル共有元」）、共有される側（「チャンネル共有先」）であるのかを判断する処理を行う。ステップＳ７０４の詳細な処理は実施の形態１で説明した図３の処理と同様である。ステップＳ７０５では、ステップＳ１０４のチャンネル共有判断に基づきチャンネル共有元であるか判定する。チャンネル共有元である場合はステップＳ７０６に進む。共有元でない場合はチャンネル共有先の処理を行うため、ステップＳ７０７に進む。
【０１１９】
ステップＳ７０６では、チャンネル共有側として、チャンネル共有先に共有する放送チャンネル情報を端末間通信処理部１１１より送信し、ステップＳ７０１に戻る。ステップＳ７０７では、チャンネル共有先からのチャンネル情報の受信ができたか否かを判定する。端末間通信処理部１１１より、チャンネル情報の受信を待ち、一定時間内にチャンネル情報を受信できた場合はステップＳ７０８に進む。一定時間内にチャンネル情報を受信できなかった場合は、ステップＳ７０１に戻り、チャンネル共有処理からやり直す。
【０１２０】
ステップＳ７０８では、携帯端末装置１００の放送受信機の機能が動作状態になっているか否かを判定する。放送受信機の機能が動作状態になっている場合はステップＳ７１０に進む。放送受信機の機能が動作状態になっていない場合はステップＳ７０９に進み、放送受信の機能を動作状態にする。ステップＳ７０９では、携帯端末装置１００の放送受信機の電源を入れる、または放送受信機の機能を動作状態にする。ステップＳ７１０では、ステップＳ７０７で受信した放送チャンネルを選局し、放送コンテンツの再生を開始する。
【０１２１】
以上のように、本実施の形態によれば、放送受信機能を備えた携帯電話端末、携帯型情報端末、モバイルＰＣ、車載受信装置、ポータブル受信装置などに適用することにより、それぞれの携帯端末装置を接近させることで、チャンネル情報を使用者が知らなくても、視聴中のチャンネルを他の携帯端末装置で容易に瞬間的に再生することが可能な携帯端末装置を提供できる。
【０１２２】
なお、本実施の形態でも端末仕様に応じて、移動量検知部１１３、端末間相対位置検知部１１４、端末情報取得部１１５、設定情報記録部１１６、データ放送処理部１０６、番組情報処理部１０７などの構成を省略してもよい。
【０１２３】
また、本実施の形態では、チャンネル共有の範囲外に携帯端末装置が移動した場合でも共有したチャンネルを保持するように記載したが、端末仕様により、実施の形態１で示したように、一定の距離を離すと元のチャンネルに戻してもよい。
【０１２４】
また、本実施の形態では、チャンネル情報の共有を例に行ったが、同時に音響設定やディスプレイの設定、表示レイアウトの設定等他の情報も共有してよい。
【０１２５】
本発明は上記実施の形態１、２において示されたものに限定されるものではなく、明細書の記載、並びに周知の技術に基づいて、当業者が変更、応用することも本発明の予定するところであり、保護を求める範囲に含まれる。
【産業上の利用可能性】
【０１２６】
本発明は、チャンネル情報や各種設定情報の共有を容易にするとともに、複数台で１つのコンテンツとして放送の再生を行うことを容易にし、直感的な端末間連係制御が可能となるといった効果を有し、放送波を受信して放送波に含まれる番組コンテンツの再生が可能な携帯端末装置等に有用である。
【図面の簡単な説明】
【０１２７】
【図１】本発明の実施の形態１に係る携帯端末装置の構成例を示すブロック図
【図２】図１の携帯端末装置における端末協調モード時の処理の内容を示すフローチャート
【図３】図１の携帯端末装置における共有チャンネル決定処理の内容を示すフローチャート
【図４】図１の携帯端末装置における共有元協調処理の内容を示すフローチャート
【図５】図１の携帯端末装置における画面出力決定処理の内容を示すフローチャート
【図６】図１の携帯端末装置における音声出力決定処理の内容を示すフローチャート
【図７】図１の携帯端末装置における共有先協調処理の内容を示すフローチャート
【図８】図１の携帯端末装置における２台での端末協調制御の内容を示す概略図
【図９】図１の携帯端末装置における２台での端末協調制御の内容を示す概略図
【図１０】図１の携帯端末装置における複数台での端末協調制御の内容を示す概略図
【図１１】本発明の実施の形態２に係る携帯端末装置におけるチャネル共有モード時の処理の内容を示すフローチャート
【符号の説明】
【０１２８】
９８  放送用アンテナ
９９  通信用アンテナ
１００  携帯端末装置
１０１  チューナ部
１０２  受信処理部
１０３  音声処理部
１０４  スピーカ
１０５  映像処理部
１０６  データ放送処理部
１０７  番組情報処理部
１０８  提示処理部
１０９  ディスプレイ
１１０  入力装置
１１１  端末間通信処理部
１１２  端末接近検知部
１１３  移動速度検知部
１１４  端末間相対位置検知部
１１５  端末情報取得部
１１６  設定情報記録部
１１７  協調制御部
【図１】
2010026215.tif 000003
【図２】
2010026215.tif 000004
【図３】
2010026215.tif 000005
【図４】
2010026215.tif 000006
【図５】
2010026215.tif 000007
【図６】
2010026215.tif 000008
【図７】
2010026215.tif 000009
【図８】
2010026215.tif 000010
【図９】
2010026215.tif 000011
【図１０】
2010026215.tif 000012
【図１１】
2010026215.tif 000013